(57)【要約】【課題】容易に樹脂製コードを交換できる刈払機を提供する。【解決手段】刈払機１０は、ナイロンコード２００と、ナイロンコード２００が巻かれたリール１１０と、ナイロンコード２００が巻かれたリール１１０を内部に保持するカセットカバー１２０であって、ナイロンコード２００を取り出す取り出し孔１２２が形成されたカセットカバー１２０と、を備える交換式のコードリールカセット１００によって、ナイロンコード２００を容易に交換できる。【選択図】  図２
2018078868.tif 000002
【特許請求の範囲】
【請求項１】
刈払機であって、
持ち手と、
持ち手の一端に配置されたロータと、
前記ロータに回転力を付与して、前記ロータの回転軸を回転させる駆動源と、
前記ロータの回転軸に固定されて、前記回転軸の回転に伴って回転するコードリールカセットであって、
樹脂製のコードと、
前記樹脂製のコードが巻かれたリールと、
前記樹脂製のコードが巻かれた前記リールを内部に保持するように構成され、前記樹脂製のコードを取り出す第１取り出し口が形成されたカセットカバーと、
を有するコードリールカセットと、
前記ロータの前記回転軸に固定されて、前記回転軸の回転に伴って回転するカバー部材であって、内部に前記コードリールカセットを収容する空間が形成され、且つ、前記取り出し口から取り出された前記樹脂製のコードを外部に取り出すための第２取り出し口が形成されたカバー部材と、
前記カバー部材の外側から、前記コードリールカセットの内部にある前記リールを回して前記樹脂製のコードの長さを調節するコード繰出し機構とを備え、
前記コードリールカセットは、交換可能に構成されている刈払機。
【請求項２】
前記カセットカバーは樹脂製のカバーであり、前記カバー部材は金属製のカバーである、請求項１に記載の刈払機。
【請求項３】
前記第１取り出し口及び第２取り出し口は、内側から外側に向かってすぼまるコーン状の形状に構成されている請求項１又は２に記載の刈払機。
【請求項４】
請求項１〜３のいずれか一項に記載の刈払機に用いられる交換式のコードリールカセットであって、
樹脂製のコードと、
前記樹脂製のコードが巻かれたリールと、
前記樹脂製のコードが巻かれた前記リールを内部に保持するカセットカバーであって、前記樹脂製のコードを取り出す第１取り出し口が形成されたカセットカバーと、を備える交換式のコードリールカセット。
【発明の詳細な説明】
【技術分野】
【０００１】
本発明は、交換式のコードリールカセットを備える刈払機及びそれに用いる交換式コードリールカセットに関する。
【背景技術】
【０００２】
従来、原動機、シャフト、回転鋸を有し、ユーザーがシャフトに固定されたハンドルを操作して草や小径木を刈払うための刈払機（草刈機ともいう）が知られている。刈払機の回転鋸が取り付けられているロータ部分に、回転鋸に代えて太めのナイロンコードのような樹脂製のコードを取り付けて、キワ草刈り用のナイロンカッターとして用いることがある（特許文献１参照）。このようなナイロンカッターを利用する刈払機には、一般に、長いナイロンコードを刈払機のロータ部分に巻き付けて、そこからコードを引き出して使用するタイプと、あらかじめ短く切断したナイロンコードの片側にハトメをかしめて、それを刈払機のロータ部分に差し込んで使用するタイプがある。
【先行技術文献】
【特許文献】
【０００３】
【特許文献１】特開２０１４−１５０７６５号公報
【発明の概要】
【発明が解決しようとする課題】
【０００４】
いずれにおいても、ナイロンコードは先端部分から徐々に摩耗していくので、ユーザーは必要に応じてナイロンコードを交換しなければならない。
【０００５】
長いナイロンコードを用いるタイプの場合、通常、交換用のナイロンコードはリールに巻かれた状態で市販されている。そのため、ユーザはリールに巻かれた交換用のナイロンコードを取り外し、これを刈払機のロータ部分に所定の手順で取り付ける必要がある。このような作業は時間も手間もかかるものであり、慣れも必要である。また、あらかじめ短く切断したナイロンコードを用いるタイプの場合、長いナイロンコードを用いるタイプと比べて単位長さ当たりの価格が高価になるため、経済的な負担が大きくなる。
【０００６】
本発明の目的は、リールに巻かれた長いナイロンコードのような樹脂コードを用いるタイプの刈払機において、ユーザが樹脂コードを容易に交換可能な刈払機及びそれに用いる交換用樹脂コードが巻かれたコードリールカセットを提供することである。
【課題を解決するための手段】
【０００７】
本発明の態様に従えば、刈払機であって、
持ち手と、
持ち手の一端に配置されたロータと、
前記ロータに回転力を付与して、前記ロータの回転軸を回転させる駆動源と、
前記ロータの回転軸に固定されて、前記回転軸の回転に伴って回転するコードリールカセットであって、
樹脂製のコードと、
前記樹脂製のコードが巻かれたリールと、
前記樹脂製のコードが巻かれた前記リールを内部に保持するように構成され、前記樹脂製のコードを取り出す第１取り出し口が形成されたカセットカバーと、
を有するコードリールカセットと、
前記ロータの前記回転軸に固定されて、前記回転軸の回転に伴って回転するカバー部材であって、内部に前記コードリールカセットを収容する空間が形成され、且つ、前記取り出し口から取り出された前記樹脂製のコードを外部に取り出すための第２取り出し口が形成されたカバー部材と、
前記カバー部材の外側から、前記コードリールカセットの内部にある前記リールを回して前記樹脂製のコードの長さを調節するコード繰出し機構とを備え、
前記コードリールカセットは、交換可能に構成されている刈払機が提供される。
【０００８】
本発明の刈払機では、樹脂製のコードが、交換式のコードリールカセットの内部に配置されており、ユーザはコードリールカセットを交換することにより、容易に樹脂製のコードを交換できる。また、ユーザは、コード繰出し機構を用いて、コードリールカセットを装着した状態で、容易に樹脂製コードの長さを調整することができる。そのため、キワ草刈りなどの作業によって樹脂製のコードが摩耗した際に、ユーザは容易に樹脂製コードを延ばして必要な長さに調整したり、樹脂製コードを交換したりすることができる。
【発明の効果】
【０００９】
本発明の刈払機は、交換式のコードリールカセットを備えているため、別の種類の樹脂製コードに変更したいときや、樹脂製コードが摩耗して足りなくなった場合などに、容易に交換することができる。また、交換式のコードリールカセットは、別のカバー部材に覆われるので、コードリールカセットのカセットカバー自体は頑丈な構造にする必要が無い。そのため、例えば樹脂製の軽い素材で形成することができ、交換式のコードリールカセットを軽量化でき、安価に製造することができる。
【図面の簡単な説明】
【００１０】
【図１】図１は本発明に係る刈払機１０の概略図である。
【図２】図２は刈払機１０のロータ部３０近傍の概略断面図である。
【図３】図３はロータ部３０の概略断面図である。
【図４】図４は上カバー３２及びコードリールカセット１００のカセットカバー１２０の概略図である。
【発明を実施するための形態】
【００１１】
本発明に係る刈払機１０について、図面を参照しつつ説明する。なお、以下の説明においては、図１に示されるように、上側、下側、左側、右側をそれぞれ定義することとする。
【００１２】
図１に示されるように、刈払機１０は、円柱状のロッド２０と、ロッド２０の一端に設けられたロータ部３０と、ロッド２０のロータ部３０と反対側の端部に設けられた駆動部４０と、ロッド２０の駆動部２０に近い側に設けられたハンドル５０と、ロッド２０のロータ部３０に近い側に設けられたガード６０とを主に備える。
【００１３】
円柱状のロッド２０は、長さ約１５００ｍｍ〜１７００ｍｍ程度の中空の金属製パイプであり、その上端に駆動部４０が取り付けられている。駆動部４０は、モータ４１と、モータ４１に電力を供給するためのバッテリ４２とを備えている。モータ４１の回転軸４３の回転は、ロッド２０の内部に設けられた不図示の伝達機構を通じてロータ部３０に伝達される。ロータ部３０は、伝達機構を通じてモータ４１の回転軸４３から伝達された回転駆動力によって回転するように構成されたシャフト３１と、シャフト３１に固定されてシャフト３１とともに回転する上カバー３２及び下カバー３３と、後述のコードリールカセット１００を下カバー３３に対して回転させるためのコード繰出し機構１３０とを備える。
【００１４】
ハンドル５０は、ユーザが刈払機１０を把持するための取手であり、略Ｕ字形状を有する。ハンドル５０の一端には、モータ４１に連動するスイッチ５１が取り付けられており、ユーザがスイッチ５１をオンにしている間、モータ４１が駆動してロータ部３０が回転する。
【００１５】
ロータ部３０の上カバー３２は金属製のカバー部材である。図２に示されるように、略略円筒型の形状の側面３２０と側面３２０の上方を覆う円形の上面３２１とを備える。上面３２１の中央部分には、シャフト３１が挿通する孔が形成されている。シャフト３１は雄ねじ状にネジが切られており、シャフト３１に挿通された上カバー３２は、ナット等の締結部材によってシャフト３１に固定される。
【００１６】
ロータ部３０の下カバー３３も上カバー３２と同じく金属製のカバー部材であり、略略円筒型の形状の側面３３０と、側面３３０の下方を覆う円環形の下面３３１と、下面３３１の略中央において、後述のコード繰出し機構１３０を挿入するための開口部とを備える。図２に示されるように、上カバー３２は下カバ−３３の側面３３０及び下面３３１により形成される空間に挿入されるように、下カバー３３の上方に取付けられる。上カバー３２に下カバー３３を取付けた状態において、上カバー３２と下カバー３３の内側には、後述のコードリールカセット１００を入れるための円筒状の空間が形成される。
【００１７】
図２に示されるように、下カバー３３の側面３３０は、上カバー３２の側面３２０の下方にネジ止めされている。
【００１８】
なお、上述のように、上カバー３２は、シャフト３１に固定することができる。さらに、上カバー３２と下カバー３３とがネジで固定されているため、シャフト３１の回転に伴って上カバー３２だけでなく下カバー３３も回転する。なお、上カバー３２の側面３２０には、後述のように、コードリールカセット１００のナイロンコード２００を取り出すための２つの本体ガイド孔３２３が形成されている。
【００１９】
次に、ロータ部３０の上カバー３２及び下カバー３３により形成される空間の内部に配置されるコードリールカセット１００について、図面を参照しつつ説明する。図２に示すように、コードリールカセット１００は、ナイロンコード２００が巻き付けられたリール１１０と、内部にリール１１０が配置された中空円盤形状のカセットカバー１２０と、リール１１０をカセットカバー１２０及び下カバー３３の外側から回転させるためのコード繰出し機構１３０とを備える。カセットカバー１２０は、上面視で略円形の形状を有しており、略円形の上板部１２０Ａと、上板部１２０Ａに上面を覆われた、ドーナツ状のリール収納部１２０Ｂとを備える。リール収納部１２０Ｂの内部にはリール１１０が配置されている。ここで、リール１１０の中央部分には、後述のコード繰出し機構１３０の嵌合部１３０と嵌合する歯車状の凹凸部１１０Ａが形成されている。なお、カセットカバ−１２０は、ドーナツ状のリール収容部１２０Ｂの中央部分から、リール１１０の凹凸部１１０Ａを露出させるように構成されている（図４参照）。また、図３、図４に示されるように、カセットカバー１２０の側面に半径方向に張り出した２つの突出部１２１が設けられている。２つの突出部１２１は、互いに１８０度離れた位置に設けられており、その内部には、ナイロンコード２００を取り出すための取り出し孔１２２が形成されている。取り出し孔１２２は、カセットカバー１２０の内側から外側に向かってすぼまったコーン型の先細り形状になっているので、ナイロンコード２００が取り出し孔１２２を通りやすくなっている。
【００２０】
また、カセットカバー１２０のリール収納部１２０Ｂはドーナツ形状を有しているので、その中央部分には開口部が形成されている。この開口部に対して、下カバー３３の開口部からコード繰出し機構１３０が挿入される（図２参照）。コード繰出し機構１３０は、カセットカバー１２０のリール収納部１２０Ｂに配置されたリール１１０に嵌合する円柱状の嵌合部１３１と、嵌合部１３１の下端に配置された略円盤状のコード繰出し用ツマミ１３２とを有する。嵌合部１３１は、リール１１０の中央部分に設けられた歯車状の凹凸部１１０Ａに嵌合する。嵌合部１３１がリール１１０の凹凸部１１０Ａに嵌合することにより、コード繰出し機構１３０がリール１１０に固定される。コード繰出し機構１３０がリール１１０に固定された状態において、コード繰出し機構１３０のコード繰出し用ツマミ１３２が下カバ−３３から露出している。ユーザは、コード繰出し用ツマミ１３２を回すことによって、下カバー３３及びカセットカバー１２０の内部に配置されるリール１１０を回転させることができる。なお、コード繰出し用ツマミ１３２には、コード繰出し用ツマミ１３２を回転させないように下カバー３３に対して固定するためのロック機構１５０が設けられている。例えば、下カバー３３に設けられた、ロックピン１５１を挿入するためのロック穴に、ロックピン１５１を挿入することによって、コード繰出し用ツマミ１３２が下カバー３３に対して回転しないように構成されていてもよい。
【００２１】
リール１１０には、２本のナイロンコード２００が巻き付けられている。図３の矢印Ａの方向にコード繰出し用ツマミ１３２を回すことにより、リール１１０から２本のナイロンコード２００を送り出すことができ、逆に、矢印Ｂの方向にコード繰出し用ツマミ１３２を回すことにより、リール１１０に２本のナイロンコード２００を巻き取ることができる。２本のナイロンコード２００の先端は、カセットカバー１２０に設けられた取り出し孔１２２からカセットカバー１２０の外側に引き出されている。ユーザーはコード繰出し用ツマミ１３２を矢印Ａ又は矢印Ｂの方向に回すことにより、カセットカバー１２０から延出する２本のナイロンコード２００の長さを適切の長さに調節することができる。
【００２２】
次に、本発明に係る刈払機１０におけるコードリールカセット１００の交換方法について説明する。刈払機１０を使用してキワ草刈りを行うと徐々にナイロンコード２００の先端が摩耗する。ユーザは２本のナイロンコード２００が巻き付けられたリール１１０が挿入されたコードリールカセット１００を購入して、交換することができる。
【００２３】
交換の際には、まず、上カバー３２と下カバー３３との間のネジを外して、下カバー３３を下側に引き抜くようにして、下カバー３３を上カバー３２から取り外す。このとき、同時に、コード繰出し機構１３０もリール１１０から外れて、下カバー３３とともに取り出されることになる。コードリールカセット１００を上カバー３２から取り外す。
【００２４】
次に、新しいコードリールカセット１００を用意して、ナイロンコード２００をカセットカバー１２０の取り出し孔１２２から適宜の長さを引き出した状態で、コードリールカセット１００を上カバー３２に挿入する。このとき、上カバー３２の本体ガイド孔３２３と、カセットカバー１２０の突出部１２１の取り出し孔１２２とが対向するように、コードリールカセット１００を上カバー３２に挿入する。そして、カセットカバー１２０の突出部１２１の取り出し孔１２２から引き出されたナイロンコード２００を、上カバー３２の本体ガイド孔３２３から引き出す。このとき、本体ガイド孔３２３は、カセットカバー１２０の取り出し孔１２２と同様に、下カバー３３内側から外側に向かってすぼまったコーン型の先細り形状になっているので、ナイロンコード２００が通りやすくなっている。
【００２５】
適宜の長さのナイロンコード２００を上カバー３２の本体ガイド孔３２３から引き出した状態で、下カバー３３を上カバー３２を下から覆うように取付けてネジ止めして、上カバー３２を下カバー３３に対して固定する。そして、コード繰出し用ツマミ１３２を回して、ナイロンコード２００の長さを調節した後、コード繰出し用ツマミ１３２が不用意に回転しないように、下カバー３３に対してロックする。
【００２６】
本発明に係る刈払機１０においては、ナイロンコード２００がコードリールカセット１００に入っており、ユーザはコードリールカセット１００ごと容易にナイロンコード２００を交換できる。その際、従来の刈払機のように、長いナイロンコードを刈払機のロータ部分に巻き付けたりする必要が無いため、ユーザの手間が省けるとともに、機械の操作に不慣れなユーザであっても、容易にナイロンコードの交換を行うことができる。また、ユーザは、太さの異なるナイロンコードを使用したいときにも、コードリールカセット１００ごと交換すればよいので、従来の刈払機と比べて大幅に交換の手間が省ける。
【００２７】
本発明に係る刈払機１０においては、交換式のコードリールカセット１００は金属製の上カバー３２及び下カバー３３により覆われているので、キワ草刈りの作業中に小石等が飛んできたとしてもコードリールカセット１００に直接当たる恐れがない。そのため、コードリールカセット１００のカセットカバー１２０を金属製の素材などで形成する必要が無く、例えばプラスチックや樹脂などの軽量な素材で形成することができ、軽量化を図るとともに安価に形成することができる。
【００２８】
なお、本発明は、上記の実施形態に限定されるものではなく、本発明の趣旨を逸脱しない範囲で変更可能である。例えば、コードリールカセット１００にはナイロンコード２００が２本巻かれていたが、１本のナイロンコードが巻かれていてもよい。また、必ずしもナイロン製のコードでなくてもよく、他の樹脂などによって形成されたコードでもよい。また、コード繰出し機構１３０の構成は必ずしも上記実施形態の構成に限定されるものではなく、コードリールカセット１００から適宜の長さのナイロンコード２００を取り出せる機能を有していれば、他の構成によって実現されてもよい。また、刈払機１０はバッテリ４２を備えており、電力で駆動されていたが、例えばエンジンにより駆動されてもよい。
【符号の説明】
【００２９】
１０      刈払機
３２      上カバー
３３      下カバー
１００    コードリールカセット
【図１】
2018078868.tif 000003
【図２】
2018078868.tif 000004
【図３】
2018078868.tif 000005
【図４】
2018078868.tif 000006